(57)【要約】【課題】  端子台とサージ防護ユニットを着脱可能に連結したサージ防護装置を安定した感電防止構造とする。【解決手段】  外部機器２上に設置した端子台２０の中央部上に扁平型サージ防護ユニット１０を嵌着し、端子台２０の両端部に一対の感電防止用端子カバー４０を着脱可能に嵌着したサージ防護装置で、端子カバー４０に上下方向からマイナスドライバーなどの小形工具で変位させて係止解除できる係止手段４１と、端子台２０に設けた接触金具２３の弾性変形を拘束するストッパー４２を形成する。工具を使わないと端子カバー４０が外れず、端子カバー４０を外さないとサージ防護ユニット１０が取り外せないようにして、安定した感電防止構造とした。【選択図】図１
2005339912.tif 000002
【特許請求の範囲】
【請求項１】
サージ防護手段を格納する扁平型絶縁性筐体の基端部の両側面に端子金具を露呈させたサージ防護ユニットと、前記筐体基端部が上下方向に挿脱可能に嵌挿される凹部を上面中央部に有する横長型絶縁性基台の両端部に、前記凹部に前記筐体基端部を嵌挿したときに前記端子金具に電気的機械的接触するところの接触金具を露呈させた端子台とを具備するサージ防護装置において、
前記筐体基端部側面および基台端部の前記端子金具および接触金具が露呈する端子充電部に、上下方向から着脱可能に嵌着されて端子充電部側に部分的に係止する感電防止用端子カバーを備え、当該端子カバーは、上下方向から挿入した外部部材の操作で弾性変形して前記端子充電部側との係止が外れる係止手段を一体に有することを特徴とするサージ防護装置。
【請求項２】
前記端子台の基台端部に前記端子カバーの係止手段が係止する係止部を設けたことを特徴とする請求項１に記載のサージ防護装置。
【請求項３】
サージ防護手段を格納する扁平型絶縁性筐体の基端部の両側面に端子金具を露呈させたサージ防護ユニットと、前記筐体基端部が上下方向に挿脱可能に嵌挿される凹部を上面中央部に有する横長型絶縁性基台の両端部に、前記凹部に前記筐体基端部を嵌挿したときに前記端子金具の押圧で弾性変形して端子金具に電気的機械的接触する接触金具を露呈させた端子台とを具備するサージ防護装置において、
前記筐体基端部側面および基台端部の前記端子金具および接触金具が露呈する端子充電部に、上下方向から挿脱可能に嵌着されて端子充電部側に係止する感電防止用端子カバーを備え、当該端子カバーは、前記基台端部に嵌着するときに前記接触金具の弾性変形を拘束して端子台からのサージ防護ユニットの抜けを防止するストッパーを一体に有することを特徴とするサージ防護装置。
【請求項４】
サージ防護手段を格納する扁平型絶縁性筐体の基端部の両側面に端子金具を露呈させたサージ防護ユニットと、前記筐体基端部が上下方向に挿脱可能に嵌挿される凹部を上面中央部に有する横長型絶縁性基台の両端部に、前記凹部に前記筐体基端部を嵌挿したときに前記端子金具の押圧で弾性変形して端子金具に電気的機械的接触する接触金具を露呈させた端子台とを具備するサージ防護装置において、
前記筐体基端部側面および基台端部の前記端子金具および接触金具が露呈する端子充電部に、上下方向から着脱可能に嵌着されて端子充電部側に部分的に係止する感電防止用端子カバーを備え、当該端子カバーは、上下方向から挿入した外部部材の操作で弾性変形して前記端子充電部側との係止が外れる係止手段と、前記基台端部に嵌着するときに前記接触金具の弾性変形を拘束して端子台からのサージ防護ユニットの抜けを防止するストッパーとを、一体に有することを特徴とするサージ防護装置。
【請求項５】
前記端子カバーの上面に取っ手を一体に突設したことを特徴とする請求項４に記載のサージ防護装置。
【請求項６】
前記端子台に組み付けた前記サージ防護ユニットの筐体上面と前記端子カバーの上面を面一に揃えたことを特徴とする請求項４に記載のサージ防護装置。
【請求項７】
複数の前記端子台を幅方向に重ねた状態で並置して、それぞれの端子台に前記サージ防護ユニットと端子カバーを装着したことを特徴とする請求項４に記載のサージ防護装置。
【発明の詳細な説明】
【技術分野】
【０００１】
本発明は、電源線に接続された各種電気機器を雷サージから保護するサージ防護装置（ＳＰＤ）に関する。
【背景技術】
【０００２】
電源線が接続された電気機器を雷サージによる誤動作、破損から保護するサージ防護装置（アレスタ、避雷器）は、酸化亜鉛などの非線形電圧制限素子、放電ギャップ、ヒューズ等のサージ防護回路部品をプリント基板に実装したサージ防護手段を扁平型絶縁性筐体に収納したサージ防護ユニットと、このサージ防護ユニットに電気的機械的に着脱される横長型の端子台を備え、端子台をＤＩＮレールや配電盤などの外部機器に取り付けて使用されるのが一般的である。例えば、この扁平型サージ防護装置を多数本の電源線に使用する場合は、同一種の複数台をＤＩＮレールなどに微少な隙間で平行に対向させて設置される（例えば、特許文献１参照）。
【特許文献１】特開２００３−１０２１２６号公報（図１）
【発明の開示】
【発明が解決しようとする課題】
【０００３】
上記サージ防護装置は、外部機器に並列に固定した複数の端子台のそれぞれに１台ずつサージ防護ユニットをワンタッチ式で嵌着するようにしている。また、サージ防護ユニットのサージ防護手段が劣化や故障すると、外部機器の端子台からサージ防護ユニットを手で外して新しいものと簡単迅速に交換できるようにしている。このような端子台とサージ防護ユニットの双方には、ワンタッチ式に電気的機械的接続できる金属板を露呈させた端子充電部が形成され、実用に際しては、この端子充電部を絶縁性カバーで絶縁保護して感電防止を図る必要がある。
【０００４】
この種の絶縁性カバーは、端子充電部に嵌め込みやねじ止めで取り付ける試作段階のものがほとんどである。前者嵌め込み式カバーは、ワンタッチの取り付けが容易であるが、外部からの振動や衝撃で外れ易くて、良好な感電防止構造といえないのが現状である。後者ねじ止め式カバーは、外部からの振動や衝撃で簡単には外れないが、着脱の作業性が悪く、外部機器に多数台のサージ防護装置を配列させた設備においては実用的でない。
【０００５】
また、外部機器に固定した端子台にサージ防護ユニットを嵌め込み式にワンタッチで取り付け、この端子台とサージ防護ユニットの端子充電部に絶縁性カバーを嵌め込み式に取り付けるようにした場合、端子台に対してサージ防護ユニットが外部からの振動や衝撃でガタ付くと、このガタ付きで絶縁性カバーも端子台やサージ防護ユニットに対してガタ付いて外れ易くなることがある。
【０００６】
本発明の目的は、端子台とサージ防護ユニットをワンタッチで着脱するようにしたサージ防護装置の感電防止構造を実用面から改変し、この改変した感電防止構造を採用したサージ防護装置を提供することにある。
【課題を解決するための手段】
【０００７】
本発明は上記目的を達成するため、サージ防護手段を格納する扁平型絶縁性筐体の基端部の両側面に端子金具を露呈させたサージ防護ユニットと、筐体の基端部が上下方向に挿脱可能に嵌挿される凹部を上面中央部に有する横長型絶縁性基台の両端部に、前記凹部に筐体基端部を嵌挿したときに端子金具に電気的機械的接触する接触金具を露呈させた端子台とを具備するサージ防護装置において、筐体基端部側面と基台端部のそれぞれの端子金具と接触金具が露呈する端子充電部に上下方向から着脱可能に嵌着されて端子充電部側に部分的に係止する感電防止用端子カバーを備え、この端子カバーは、上下方向から挿入した外部部材の操作で弾性変形して端子充電部側との係止が外れる係止手段を一体に有することを特徴とする。
【０００８】
ここで、サージ防護ユニットの筐体は略矩形の扁平箱形樹脂ケースで、電圧制限素子などを実装したサージ防護手段を収納する。この筐体の下部が基端部で、その両側面にサージ防護手段に配線された端子金具が固定される。端子台は、ＤＩＮレールや配電盤などの外部機器にねじ止めなどで固定される樹脂製の基台の両端部に一対の接触金具を備える。これら端子金具と接触金具は、互いに電気的機械的に面接触する金属板である。端子台の基台はその上面中央部に、サージ防護ユニットの筐体の基端部が上下方向からワンタッチ式に嵌挿される凹部を有する。ここでの上下方向とは、水平な外部機器上に設置した端子台に対する相対的な方向である。凹部の両側壁を形成する基台両端部の内側に、一対の接触金具が配置される。一対の各接触金具は、基台両端部上面まで延在し、この延在部分に端子ねじなどの外部電線接続用端子部材が配備される。端子台は基台両端部の接触金具が露呈し、サージ防護ユニットは筐体両側面の端子金具が露呈し、端子台にサージ防護ユニットを取り付けると、端子金具と接触金具が互いに接触して端子充電部を形成し、この端子充電部に本発明の特徴とする端子カバーを着脱可能に嵌着して絶縁保護し、感電防止を図る。
【０００９】
端子カバーは樹脂成形品で、サージ防護ユニットを嵌着した端子台の基台両端部とサージ防護ユニットの筐体両側面のそれぞれに着脱可能にして嵌め込み式に嵌着されて、端子充電部を囲って絶縁保護する。端子台に嵌着した端子カバーと端子台の間には適当な配線用隙間が設けられるが、指が入るような隙間がなくて、感電防止に供される。端子カバーの係止手段は、マイナスドライバーのような細い硬質の外部部材（小形工具）の先端で弾性変形させることのできる変位部と、この変位部の先端に設けた小突起部で形成することができる。この係止手段を、端子カバーの上面を形成する天板部の下面に一体に形成して、変位部が真上から挿入される細い外部部材でしか弾性変位させることができないようにする。また、係止手段の小突起に対応させて、端子台の基台またはサージ防護ユニットの筐体に小突起が係止する小穴などの係止部を形成する。端子台とサージ防護ユニットの端子充電部に端子カバーを差し込み式にワンタッチで取り付けた段階で、係止手段を係止部に係止させて端子カバーのガタ付き、脱落を防止し、取り外しは細い外部部材を使用しない限りできないようにする。
【００１０】
また、本発明においては、上記サージ防護ユニットの端子金具の押圧で端子台の接触金具を弾性変形させるようにしたサージ防護装置において、サージ防護ユニットの筐体基端部側面と端子台の基台端部の端子金具と接触金具が露呈する端子充電部に上下方向から挿脱可能に嵌着されて端子充電部側に係止する感電防止用端子カバーを備え、この端子カバーは、端子台の基台端部に嵌着するときに接触金具の弾性変形を拘束して端子台からのサージ防護ユニットの抜けを防止するストッパーを一体に有することを特徴とする。
【００１１】
ここで、端子台の基台両端部の一対の接触金具は、サージ防護ユニットの筐体基端部が嵌挿されると基端部両側面の一対の端子金具でそれぞれに押圧されて、一対の各接触金具が互いに離れる拡がる方向に弾性変形し、この弾性変形で筐体基端部を強固に挟んで支持する。端子台からサージ防護ユニットを取り外す場合は、サージ防護ユニットの筐体で一対の接触金具の一方を押しして弾性変形させることで行われる。端子カバーに設けたストッパーは、端子カバーを端子台に嵌着するときに端子台の基台両端部の一対の接触金具に接触して弾性変形させないようにする舌片、突起物である。サージ防護ユニットが嵌着された端子台に端子カバーを嵌着してストッパーで接触金具を弾性変形しないように拘束しておくと、サージ防護ユニットの筐体で接触金具の一方を押して弾性変形させようとしてもできなくなる。つまり、端子台から端子カバーを取り外して接触金具の拘束を解かない限り、端子台からサージ防護ユニットが取り外すことができない。その結果、端子台から端子カバーを取り外すまで端子台にサージ防護ユニットがガタ付きなく安定に取り付けられ、端子台上でサージ防護ユニットが安定することで端子台に嵌着した端子カバーも安定した姿勢が維持されて、安定した感電防止ができるようになる。
【００１２】
また、本発明においては、上記ストッパーを備えた端子カバーに上記係止手段を一体に設けることができる。この端子カバーのストッパーと係止手段は、共に端子台への端子カバーの取付安定性を良好なものにして、より安定した感電防止構造を構築する。
【００１３】
また、本発明においては、端子カバーの上面に取っ手を一体に突設することができる。取っ手は二本の指で摘める摘みのようなものでよく、取っ手を摘んで真上に引き上げることで端子カバーを端子台から取り外すようにする。外部機器に端子台を接近または接触させて並置して、各端子台にサージ防護ユニットと端子カバーを取り付けると、隣接する端子カバーの間に指が入る隙間ができず、端子カバーの取り外しが難しくなるが、その上面に取っ手を設けると簡単に取り外すことができる。
【００１４】
このような端子カバーは、端子台に組み付けたサージ防護ユニットの筐体上面と端子カバーの上面を面一に揃えた構造とすることができる。このようにするとサージ防護ユニットの筐体上面と端子カバーの上面の間に指が入る隙間ができないことから、サージ防護ユニットと端子カバーの双方の角部分に、外部から不本意に指などの外力が加わる確率が少なくなり、端子台に対してサージ防護ユニットと端子カバー双方共にガタ付くことが少ない安定した感電防止構造となる。また、端子台上でサージ防護ユニットと端子カバーが同じ高さで並ぶことになることから、端子カバーの上部にサージ防護ユニットの筐体上部に係止する係止手段を設けることができ、また、端子カバーの下部にストッパーを形成することができて、係止手段とストッパーの設計が容易になる。
【発明の効果】
【００１５】
本発明によれば、端子台とサージ防護ユニットを連結したサージ防護装置の端子充電部に端子カバーを嵌着した感電防止構造は、端子カバーの係止手段を上下方向から外部部材を挿通して弾性変形させない限り端子カバーが外れず、端子カバーが外部からの不本意な振動や衝撃でガタ付かない、感電防止機能に優れた効果を奏し得る。また、端子カバーを端子台に嵌め込み式にワンタッチで取り付けることが容易にでき、さらに、取り付けた端子カバーを取り外す外部部材はマイナスドライバーなどの小形工具が使用できて、着脱作業性のよい端子カバー付きサージ防護装置が提供できる。
【００１６】
また、端子カバーに端子台の接触金具を拘束するストッパーを設けることで、端子カバーを取り外さない限り端子台からサージ防護ユニットが取り外せないようにすることができて、端子台上におけるサージ防護ユニットと端子カバー双方のガタ付き抑制ができ、このガタ付き抑制で感電防止機能の安定した端子カバー付きサージ防護装置が提供できる。
【発明を実施するための最良の形態】
【００１７】
以下、本発明の実施の形態を図１〜図１１を参照して説明する。
【００１８】
図１〜図３は、鎖線で示すＤＩＮレールや配電盤などの外部機器２上に設置したサージ防護装置１を示し、図４はサージ防護装置１の分解図である。サージ防護装置１は、扁平型サージ防護ユニット１０と端子台２０を着脱可能に連結し、部分的に一対の感電防止用端子カバー４０を着脱可能に嵌着した構造である。サージ防護ユニット１０と端子台２０を連結してできる両者間の端子充電部３０に端子カバー４０を嵌着して、端子充電部３０の露呈端子（後述する端子金具１３と接触金具２３の露呈部分）を端子カバー４０が覆う感電防止構造としている。
【００１９】
サージ防護ユニット１０は、略矩形で扁平型の絶縁性筐体１２にサージ防護手段１１を収納したもので、図４において筐体１２の下部となる基端部１２ａの両側面に一対の端子金具１３を露呈させている。端子金具１３は、筐体１２内のサージ防護手段１１に配線された電極端子である。サージ防護手段１１は、酸化亜鉛型電圧制限素子やヒューズなどを実装したものである。筐体１２は上端開口有底の樹脂成形品で、上端開口からサージ防護手段１１を収納して、上端開口を透明樹脂板の蓋１２ｂで塞ぐ。このようなサージ防護ユニット１０は、既存製品を使用することができる。
【００２０】
端子台２０は、サージ防護ユニット１０より少し厚目の横長型樹脂製基台２１を有する。基台２１は中央部の両側方に矩形ブロック状の端部２１ａを有し、中央部の上面と両端部２１ａの内面でＵ字状の凹部２２を形成する。凹部２２は、サージ防護ユニット１０の筐体基端部１２ａが上下方向で脱着される部所で、凹部２２の両端に一対の接触金具２３を対向させて設置する。接触金具２３は、図５に示すように、縦長Ｕ字状に屈曲して対向する外側垂直部２３ａ及び内側垂直部２３ｂと、内側垂直部２３ｂの上端から外方に直角に屈曲した水平部２３ｃを有する金属の板ばねで、外側垂直部２３ａと内側垂直部２３ｂの間に上端開口の隙間ｇを形成している。水平部２３ｃが基台２１の端部２１ａ上に設置されて固定される。図５に示すように、水平部２３ｃの中央部下に雌ねじブロック３５が一体に固定され、雌ねじブロック３５が基台端部２１ａに埋め込まれて固定される。雌ねじブロック３５に端子ねじ２４が螺装され、端子ねじ２４を使って接触金具２３と外部の電極線との電気的機械的接続が行われる。
【００２１】
また、基台２１の両端部２１ａの前後面には上下方向に延在するガイド溝３１、３２やガイドリブ３４が形成され、これらは端子カバー４０の脱着などに利用されるもので、具体的内容は後述する。
【００２２】
図４に示すように、端子台２０の凹部２２にサージ防護ユニット１０の筐体１２の基端部１２ａを上から押し込むと、基端部１２ａの両側面に露呈する一対の端子金具１３が対応する一対の接触金具２３の外側垂直部２３ａの外面を摺接して、外側垂直部２３ａを隙間ｇを狭める外方向に押し拡げるように弾性変形させ、そのまま基端部１２ａが凹部２２の底まで圧入的に嵌着される。凹部２２の左右両端の弾性変形した接触金具２３が筐体基端部１２ａを両側から弾圧して、凹部２２にサージ防護ユニット１０を安定した定姿勢で支持する。また、図４に示すように端子金具１３の定箇所に係合穴１４を形成し、接触金具２３の外側垂直部２３ａに図５に示すような係合突起１５を形成して、凹部２２に筐体基端部１２ａを嵌着したときに係合穴１４と係合突起１５を係合させて、サージ防護ユニット１０の取付姿勢をより安定したものにする。凹部２２からのサージ防護ユニット１０の取り外しは、筐体１２の上部を手に持って図１で左右いずれかの方向に外力を加え、凹部２２の左右一対の接触金具２３のいずれか一方を隙間ｇを狭める方向に弾性変形させ、他方を弾性復帰させて引き上げる操作で行える。
【００２３】
また、端子台２０は、図示しないＤＩＮレールと配電盤のいずれにも設置できる構造にしている。例えば、基台２１の下面中央部に凹段部２５を形成し、凹段部２５の両端にＤＩＮレールに係止する突起物２６、２７を形成して、凹段部２５にＤＩＮレールが嵌挿できるようにしている。また、凹段部２５の天面中央部に円筒状の取付座部２８を一体に突設し、一方の基台端部２１ａの下面に位置決め突起２９を一体に突設して、配電盤に基台２１の下面を位置決め突起２９で位置決めし、取付座部２８を配電盤にねじ止めする。
【００２４】
端子台２０の両端部に取り付けられる一対の端子カバー４０は同一形状の樹脂成形品で、図５に示すように天板部４０ａと両側板部４０ｂ、４０ｃと前板部４０ｄを有する。天板部４０ａは平面視が矩形で、上面の後部に取っ手４３を一体に有する。取っ手４３の両側方を凹段状の空間にして、取っ手４３が指で容易に摘めるようにしてある。一方の側板部４０ｂ（図５で手前の側板）の上部に係止手段４１が一体に形成され、内面に上下に延在する直線状のガイド部４５が一体に突設され、下端に上方に延在するスリット部４４を形成している。他方の側板部４０ｃは、ガイド部４５とスリット部４４を備える。両側板部４０ｂ、４０ｃの前端上部の間に前板部４０ｄが形成され、前板部４０ｄの下端中央部から下方に舌片状のストッパー４２が一体に形成される。ストッパー４２は、端子台２０に嵌着したサージ防護ユニット１０の接触金具２３の隙間ｇに入って、接触金具２３の弾性変形を拘束するスペーサー的なもので、前板部４０ｄから下方に斜め外方向に傾斜する傾斜部と、この傾斜部の先端から真下に延在する垂直舌片部を有する。
【００２５】
端子カバー４０は、端子台２０の基台端部２１ａに差し込み式に嵌着できるサイズで、基台端部２１ａの真上から端子カバー４０を嵌挿すると、両側板部４０ｂ、４０ｃのガイド部４５が基台端部２１ａの両側面のガイド溝３１にガイドされて嵌挿され、次に切り欠き部４４がガイドリブ３４に嵌挿されて、端子カバー４０の下端が基台端部２１ａの下端と面一になる最終位置まで嵌着される。この最終位置まで嵌着した時点で係止手段４１が基台端部２１ａに係止して、図６で示す最終嵌挿位置で拘束される。
【００２６】
係止手段４１の具体構造を、図７（Ａ）（Ｂ）に示す。この係止手段４１は、図６の鎖線で示すような外部部材３の先端で弾性変形させることのできる変位部４１ａと、変位部４１ａの先端に設けた小突起部４１ｄを有する。変位部４１ａは天板部４０ａから下方に延在する垂直片で、両側の外面に一対の三角状リブ部４１ｂを一体に突設している。一対のリブ部４１ｂの先端から下方に矩形の板部４１ｃが一体に延在し、この板部４１ｃの内面中央に小突起部４１ｄを突設している。変位部４１ａの下端と板部４１ｃの上端との間に小さな矩形の作業穴４６が形成される。作業穴４６は、外部部材３例えば小形のマイナスドライバー３の先端が入る程度の小穴で、作業穴４６には上下方向からでしかマイナスドライバー３の先端が挿脱できないようにしてある。作業穴４６にマイナスドライバー３の先端を挿入し、マイナスドライバー３の先端を図６で右方向に移動させると板部４１ｃの上端部に係止して板部４１ｃを介して変位部４１ａを図６で右方向に変位させる。マイナスドライバー３を抜くと、変位部４１ａが元の垂直な位置に弾性復帰する。リブ部４１ｂは、変位部４１ａに変位方向に適度な強度を持たせて、変位部４１ａをマイナスドライバー３の先端で上述のように変位させることができるが、他の方法では容易に変位させることができないようにしてある。
【００２７】
端子カバー４０の係止手段４１に対応して端子台２０の基台端部２１ａに、小突起部４１ｄと適宜に係止する係止部３３が形成される。この係止部３３は、例えば基台端部２１ａのガイド溝３１ｄの上端部に形成した角穴である。この角穴は、基台端部２１ａの両側面に設けた一対のガイド溝３１ｄのそれぞれに設けてもよいが、図面では一方だけに設けている。基台端部２１ａに端子カバー４０を前述要領で嵌挿すると、端子カバー４０のガイド部４５が基台端部２１ａのガイド溝３１でガイドされ、最終位置近くまで嵌挿されると係止手段４１の小突起部４１ｄが角穴の係止部３３に真上から接近し、最終位置に達する時点で係止部３３を小突起部４１ｄが変位部４１ａを弾性変位させて乗り越え、係止部３３の角穴に係止する。この係止は、ガイド部４５によるガイドで確実に行われる。また、この係止の解除は、マイナスドライバー３で変位部４１ａを変位させない限りできない。
【００２８】
端子台２０の凹部２２にサージ防護ユニット１０の筐体基端部１２ａを嵌着すると、端子台２０の基台端部２１ａ上に端子ねじ２４の頭部、接触金具２３の上端部や、筐体基端部１２ａの端子金具１３の上端部の充電部分が露呈して端子充電部３０ができる。この端子充電部３０を被覆するように端子カバー４０が基台端部２１ａに真上から嵌挿される。この嵌挿時に端子カバー４０のストッパー４２が接触金具２３の隙間ｇに挿入されて、接触金具２３を拘束する。
【００２９】
図４に示すように、ＤＩＮレールなどの外部機器２上に端子台２０を固定した状態で、端子台２０にサージ防護ユニット１０が接触金具２３を弾性変形させて嵌着され、その後で一対の端子カバー４０が対応する端子充電部３０に真上から嵌着される。端子カバー４０は係止手段４１が基台端部２１ａの係止部３３に係止して抜けず、かつ、前後左右の動きも基台端部２１ａやサージ防護ユニット０の筐体１２で拘束されて、安定した姿勢で端子充電部３０を被覆し、安定した感電防止構造を保つ。この端子カバー４０に不本意に人の指が触れてもガタ付かず、指が端子カバー４０内に入ることもないので、安定した感電防止構造となる。また、端子カバー４０を手で直接に取り外そうとしても、係止手段４１を指で変位させることができないので、手で直接に取り外して感電するといったトラブル発生がなくなり、安全である。端子カバー４０の取り外しは、マイナスドライバー３のような小形工具を使って係止手段４１を変位させない限りできない。このような小形工具を使った取り外し作業は容易であり、使用する小形工具が細い硬質の棒のようなありふれたものが適用できるために便利であり、特別な専用工具を使用しないで済むので経済的である。
【００３０】
また、端子充電部３０に端子カバー４０を嵌着した時点で、図８に示すように、ストッパー４２が接触金具２３の隙間ｇに入り、外側垂直部２３ａの内面側に当接して外側垂直部２３ａが外方に弾性変形するのを拘束する。この拘束が端子台２０の左右一対の接触金具２３に対して同時に行われる。その結果、サージ防護ユニット０の筐体１２の上部を手に持って左右に動かし、端子台２０から取り外そうとしても、一対の接触金具２３が弾性変形せず、筐体１２を強固に固定した状態が維持される。したがって、端子台２０に対してサージ防護ユニット１０がガタ付かず、サージ防護ユニット１０のガタ付きが端子カバー４０に伝達されて端子カバー４０がガタ付くことがなく、端子カバー４０の姿勢が安定し、安定した感電防止構造が維持できる。
【００３１】
また、端子台２０からのサージ防護ユニット１０の取り外しは、先に端子カバー４０を小形工具を使って取り外さない限りできない。端子カバー４０を取り外すのは、サージ防護ユニット１０の交換などの感電事故が発生しない状況（端子充電部３０が非充電の状況）で行われる。端子充電部３０が充電状況にあるとき、端子台２０からサージ防護ユニット１０を無理に取り外すと、端子充電部３０の一部が露呈して感電トラブルが発生することがあるが、サージ防護ユニット１０が取り外せないので感電トラブルが発生せず、安定した感電防止構造が維持できる。
【００３２】
図９及び図１０は、外部機器２上に複数の端子台２０を所定のピッチＰで並列に設置した使用状態を示す。ピッチＰは、隣接する端子台２０の端子カバー４０の両側面から突出させたガイドリブ３４同士を突き合わせることで決められる。複数の並置されたサージ防護装置１は互いに接近し、隣接する端子カバー４０の間は指の入らない隙間となる。この端子カバー４０を端子台２０から取り外す場合は、片手で小形工具を使って真上から係止手段４１を変位させて、他の片手で取っ手４３を掴み、端子カバー４０を真上に引き上げることで行われる。この取り外し作業は、隣接する端子カバー４０に邪魔されることなく簡単に行える。また、隣接する端子カバー４０が接触して隙間がないような場合でも行える。
【００３３】
図１１は他の実施の形態を説明するためのもので、端子カバー４０の全高を大きくして、端子台２０に嵌着したときの上面をサージ防護ユニット１０の筐体１２の上面と面一にする。この実施の形態の場合、端子カバー４０の前面の下部にストッパー４２を設置し、上部に係止手段４１’を設置して、係止手段４１’の小突起部４１ｅをサージ防護ユニット１０の筐体１２の上部側面に形成した係止部３３’に係止させるようにする。
【００３４】
図１１のサージ防護装置を外部機器２上に複数列に並置した場合、全体の上面がサージ防護ユニット１０の上面と端子カバー４０の上面が面一に接近した平坦面となるため、サージ防護ユニット１０の筐体１２や端子カバー４０の上端角部に指が掛かり難くなり、サージ防護ユニット１０と端子カバー４０の姿勢がより安定したものとなって、安定した感電防止構造が維持される。
【００３５】
なお、本発明のサージ防護装置は、上記した実施の形態に限定されるものではなく、本発明の要旨を逸脱しない範囲内において種々変更を加え得ることは勿論である。
【図面の簡単な説明】
【００３６】
【図１】本発明の実施の形態を示す正面図である。
【図２】図１のサージ防護装置の平面図である。
【図３】図１のサージ防護装置の側面図である。
【図４】図１のサージ防護装置の分解正面図である。
【図５】図１のサージ防護装置における端子台と端子カバーの部分分解斜視図である。
【図６】図３のサージ防護装置の端子台と端子カバーの部分断面を含む拡大図である。
【図７】（Ａ）は端子カバーの部分正面図、（Ｂ）はＴ−Ｔ線に沿う断面図である。
【図８】図１のサージ防護装置の部分断面を含む部分拡大図である。
【図９】複数のサージ防護装置を並置したときの側面図である。
【図１０】複数のサージ防護装置を並置したときの平面図である。
【図１１】他の実施の形態を説明するための正面図である。
【符号の説明】
【００３７】
１    サージ防護装置
２    外部機器
３    外部部材、マイナスドライバー
１０    サージ防護ユニット
１１    サージ防護手段
１２    筐体
１２ａ    筐体基端部
１３    端子金具
２０    端子台
２１    基台
２１ａ    基台端部
２２    凹部
２３    接触金具
３０    端子充電部
４０    感電防止用端子カバー
４１ａ    変位部
４１ｄ    小突起部
４１ｅ    小突起部
４２    ストッパー
４３    取っ手
４６    作業穴
【図１】
2005339912.tif 000003
【図２】
2005339912.tif 000004
【図３】
2005339912.tif 000005
【図４】
2005339912.tif 000006
【図５】
2005339912.tif 000007
【図６】
2005339912.tif 000008
【図７】
2005339912.tif 000009
【図８】
2005339912.tif 000010
【図９】
2005339912.tif 000011
【図１０】
2005339912.tif 000012
【図１１】
2005339912.tif 000013